(57)【要約】【課題】複数の包装対象物を個包装により貯蔵する場合に、製造コストの低減が可能で、コンパクトに貯蔵することができる包装体を提供する。【解決手段】包装体１は、複数の包装対象物３と、複数の包装対象物３を包装する包装材２と、を備え、包装材２は、互いに積層された複数の包装フィルム２３，２３Ａ，２４と、複数の包装フィルム２３，２３Ａ，２４のそれぞれの間に形成され、前記複数の包装対象物３のそれぞれを個別に収容する複数の収容部２０と、複数の収容部２０のそれぞれの周囲に形成され、複数の収容部２０のそれぞれを封止する複数の封止部２１と、を含み、複数の封止部２１のそれぞれにおいて、複数の包装フィルム２３，２３Ａ，２４の内の１つの下面と複数の包装フィルム２３，２３Ａ，２４の内の１つの上面とが互いに接着している。【選択図】図１
2017074986.tif 000002
【特許請求の範囲】
【請求項１】
複数の包装対象物と、
前記複数の包装対象物を包装する包装材と、を備え、
前記包装材は、
それぞれが上面および前記上面とは反対側の下面を有し、互いに積層された複数の包装フィルムと、
前記複数の包装フィルムのそれぞれの間に形成され、前記複数の包装対象物のそれぞれを個別に収容する複数の収容部と、
前記複数の収容部のそれぞれの周囲に形成され、前記複数の収容部のそれぞれを封止する複数の封止部と、を含み、
前記複数の封止部のそれぞれにおいて、前記複数の包装フィルムの内の１つの前記下面と前記複数の包装フィルムの内の他の１つの前記上面とが互いに接着している、包装体。
【請求項２】
前記複数の封止部のそれぞれにおいて、前記下面および前記上面の少なくとも一方は、イージーピールフィルム層を有している、請求項１に記載の包装体。
【請求項３】
前記上面および前記下面の両方が、前記イージーピールフィルム層を有している、請求項２に記載の包装体。
【請求項４】
前記包装対象物は、乾燥試薬を備え、試料中に含まれる特定物質を測定するための測定用具である、請求項１〜３のいずれかに記載の包装体。
【請求項５】
前記測定用具はバイオセンサであり、前記試料は血液である、請求項４に記載の包装体。
【請求項６】
前記包装材は、前記複数の包装フィルムのそれぞれから前記複数の封止部を越えて外側へ突出し、相互に接着していない複数の開封用タブを更に備える、請求項１〜５のいずれかに記載の包装体。
【請求項７】
前記複数の開封用タブのそれぞれは、互いに積み重なっている、請求項６に記載の包装体。
【請求項８】
前記複数の開封用タブのそれぞれは、下方に配置されるほど外側に向けて長く延びており、互いに少しずつずれた部分を有している、請求項７に記載の包装体。
【請求項９】
前記複数の開封用タブのそれぞれは、下方に配置されるほど前記複数の封止部の周縁部に沿って長く延びており、互いに少しずつずれた部分を有している、請求項７に記載の包装体。
【請求項１０】
前記複数の包装フィルムのそれぞれは、第１の開封用タブ突出部および第２の開封用タブ突出部のいずれかを有しており、
前記複数の開封用タブのそれぞれは、前記第１の開封用タブ突出部および前記第２の開封用タブ突出部において、前記複数の包装フィルムが積み重なっている順に、交互に突出する、請求項６に記載の包装体。
【請求項１１】
前記包装材は、側部に形成され、前記複数の包装フィルムのそれぞれを剥がす際に把持するための把持部と、前記把持部と前記複数の封止部のそれぞれとの境界部に形成されたたミシン目と、を更に備えており、前記複数の包装フィルムのそれぞれは、前記ミシン目に沿って剥がれるように構成されている、請求項２〜１０のいずれかに記載の包装体。
【請求項１２】
複数の包装対象物と複数の包装フィルムとを交互に積み重ねる工程と、
前記複数の包装対象物のそれぞれの周囲において、前記複数の包装フィルムの内の１つの下面と前記複数の包装フィルムの内の他の１つの上面とを互いに接着することにより、前記複数の包装フィルムのそれぞれの間に、前記複数の包装対象物のそれぞれを個別に収容する複数の収容部および前記複数の収容部のそれぞれを封止する複数の封止部を形成する工程と、
前記複数の封止部が形成された部分またはその周辺部を打ち抜くことにより包装体を得る工程と、
を有する、包装体の製造方法。
【発明の詳細な説明】
【技術分野】
【０００１】
本発明は、防湿が必要な複数の包装対象物が収容された包装体の技術に関するものである。
【０００２】
製品が大気中の湿度の影響を受け、本来の機能を失う性質を有する場合、その製品を品質を保持しつつ長期保存するためには、包装の仕方が重要である。湿度の影響を受けやすい製品として、例えば、測定用具（例えば、試験片、酵素センサチップ）が挙げられる。このような測定用具は、血液などの体液や食品などの検体中の特定物質を検出する目的で、臨床検査や食品の品質管理などの分野で使用される。このような測定用具は、通常、空気中の水分により劣化しやすい乾燥試薬を含んでいるため、品質保持の観点から、個包装により１個ずつ個別に保存することが好ましい。
【０００３】
例えば、特許文献１には、上側部材としての上側包装フィルムと下側部材としての下側包装フィルムとの間に測定用具を挟み、前記上側包装フィルムおよび前記下側包装フィルムの周縁部をシールすることにより、前記測定用具が個包装された包装体が記載されている。
【０００４】
このような包装体が貯蔵される場合、複数の包装体がまとめて貯蔵されることが多い。従来、複数の包装体を貯蔵するため、種々の方法が採用されている。例えば、特許文献２では、複数の包装体を縦方向に積み重ね、貯蔵ケースに収容する方法が取られている。
【０００５】
特許文献３には、下側部材としての樹脂製の貯蔵容器に形成したチャンバーに測定用具を収容し、上側部材としての密封ホイルにより前記チャンバーの周囲をシールした包装体が記載されている。前記包装体には、前記測定用具が、１個ずつ個別に貯蔵される。前記貯蔵容器は、前記複数の包装体を横方向に連結した形状とすることにより、前記複数の包装体をまとめて貯蔵可能とされている。
【０００６】
しかしながら、前記従来技術においては、次に述べるように改善すべき点があった。
【０００７】
すなわち、特許文献１または特許文献３に記載の包装体においては、測定用具毎に上側部材と下側部材とを備える必要がある。それ故、複数の個包装された測定用具をまとめて貯蔵する場合に、部材の使用量が多くなるので、製造コストが高くなるという問題点があった。また、部材の使用量の多さに起因して、貯蔵の際のコンパクト性に欠けるという問題点があった。
【先行技術文献】
【特許文献】
【０００８】
【特許文献１】特開平０６−２１０８０２号公報
【特許文献２】特開２００１−１４１６８６号公報
【特許文献３】特開平０６−３０８１１５号公報
【発明の概要】
【発明が解決しようとする課題】
【０００９】
本発明は、前記したような事情のもとで考え出されたものであって、第１に、複数の包装対象物を個包装により貯蔵する場合に、製造コストの低減が可能な包装体および包装体の製造方法を提供することを目的としている。第２に、複数の包装対象物を個包装により貯蔵する場合に、コンパクトに貯蔵することができる包装体および包装体の製造方法を提供することを目的としている。
【課題を解決するための手段】
【００１０】
本発明の第１の側面により提供される包装体は、複数の包装対象物と、前記複数の包装対象物を包装する包装材と、を備え、前記包装材は、それぞれが上面および前記上面とは反対側の下面を有し、互いに積層された複数の包装フィルムと、前記複数の包装フィルムのそれぞれの間に形成され、前記複数の包装対象物のそれぞれを個別に収容する複数の収容部と、前記複数の収容部のそれぞれの周囲に形成され、前記複数の収容部のそれぞれを封止する複数の封止部と、を含み、前記複数の封止部のそれぞれにおいて、前記複数の包装フィルムの内の１つの前記下面と前記複数の包装フィルムの内の他の１つの前記上面とが互いに接着していることを特徴としている。
【００１１】
好ましくは、前記複数の封止部のそれぞれにおいて、前記下面および前記上面の少なくとも一方は、イージーピールフィルム層を有する構成とされている。
【００１２】
好ましくは、前記上面および前記下面の両方が、前記イージーピールフィルム層を有している構成とされている。
【００１３】
好ましくは、前記包装対象物は、乾燥試薬を備え、試料中に含まれる特定物質を測定するための測定用具である構成とされている。
【００１４】
好ましくは、前記測定用具はバイオセンサであり、前記試料は血液である構成とされている。
【００１５】
好ましくは、前記包装材は、前記複数の包装フィルムのそれぞれから前記複数の封止部を越えて外側へ突出し、相互に接着していない複数の開封用タブを更に備える構成とされている。
【００１６】
好ましくは、前記複数の開封用タブのそれぞれは、互いに積み重なる構成とされている。
【００１７】
好ましくは、前記複数の開封用タブのそれぞれは、下方に配置されるほど外側に向けて長く延びており、互いに少しずつずれた部分を有している構成とされている。
【００１８】
好ましくは、前記複数の開封用タブのそれぞれは、下方に配置されるほど前記複数の封止部の周縁部に沿って長く延びており、互いに少しずつずれた部分を有している構成とされている。
【００１９】
好ましくは、前記複数の包装フィルムのそれぞれは、第１の開封用タブ突出部および第２の開封用タブ突出部のいずれかを有しており、前記複数の開封用タブのそれぞれは、前記第１の開封用タブ突出部および前記第２の開封用タブ突出部において、前記複数の包装フィルムが積み重なっている順に、交互に突出する構成とされている。
【００２０】
好ましくは、前記包装材は、側部に形成され、前記複数の包装フィルムのそれぞれを剥がす際に把持するための把持部と、前記把持部と前記複数の封止部のそれぞれとの境界部に形成されたたミシン目と、を更に備えており、前記複数の包装フィルムのそれぞれは、前記ミシン目に沿って剥がれるように構成されている。
【００２１】
本発明の第２の側面に係る包装体の製造方法は、複数の包装対象物と複数の包装フィルムとを交互に積み重ねる工程と、前記複数の包装対象物のそれぞれの周囲において、前記複数の包装フィルムの内の１つの下面と前記複数の包装フィルムの内の他の１つの上面とを互いに接着することにより、前記複数の包装フィルムのそれぞれの間に、前記複数の包装対象物のそれぞれを個別に収容する複数の収容部および前記複数の収容部のそれぞれを封止する複数の封止部を形成する工程と、前記複数の封止部が形成された部分またはその周辺部を打ち抜くことにより包装体を得る工程と、を有することを特徴としている。
【発明の効果】
【００２２】
本発明の包装体は、包装材料の使用量を少なくできるので、複数の包装対象物を個包装により貯蔵する場合に、製造コストの低減を図ることができるという利点を有する。また、本発明の包装体は、複数の包装対象物を個包装により貯蔵する場合に、コンパクトに貯蔵することができるという利点を有する。
【００２３】
本発明のその他の特徴および利点は、添付図面を参照して以下に行なう発明の実施の形態の説明から、より明らかとすることができる。
【図面の簡単な説明】
【００２４】
【図１】本発明の第１の実施形態に係る包装体を示す全体斜視図である。
【図２】図２（Ａ）は、図１のＩＩＡ−ＩＩＡ線に沿う断面図である。図２（Ｂ）は、図１に示す包装体の分解組立図である。
【図３】図３（Ａ）〜図３（Ｄ）は、図１に示す包装体の製造に使用する包装フィルムの断面図である。
【図４】図１に示す包装体を含む血糖測定システムの一例を示す斜視図である。
【図５】図５（Ａ）は、図１に示す包装体に収容されている血糖測定センサの一例を示す斜視図である。図５（Ｂ）は、図５（Ａ）に示す血糖測定センサの分解組立図である。
【図６】図１に示す包装体の製造装置の一例を説明するための斜視図である。
【図７】図７（Ａ）〜図７（Ｃ）は、図１に示す包装体の使用方法の一例を説明するための斜視図である。
【図８】図８（Ａ）は、本発明の第２の実施形態に係る包装体を示す斜視図である。図８（Ｂ）は、図８（Ａ）のＶＩＩＩＢ−ＶＩＩＩＢ線に沿う断面図である。
【図９】本発明の第３の実施形態に係る包装体を示す斜視図である。
【図１０】図１０（Ａ）は、本発明の第４の実施形態に係る包装体を示す斜視図である。図１０（Ｂ）は、図１０（Ａ）に示す包装体の使用状態の一例を示す斜視図である。
【図１１】図１１（Ａ）は、本発明の第５の実施形態に係る包装体を示す斜視図である。図１１（Ｂ）は、図１１（Ａ）に示す包装体の使用状態の一例を示す斜視図である。
【発明を実施するための形態】
【００２５】
以下、本発明の好ましい実施の形態について、図面を参照して具体的に説明する。
【００２６】
＜第１の実施形態＞
図１〜図５を参照して、本発明の第１の実施形態に係る包装体１の構成を説明する。包装体１は、糖尿病患者に携帯されたり、病棟に配置されたりするものであり、簡易に患者の血糖測定を行うのに使用される。図１に示すように、包装体１は、包装材２と血糖測定センサ３とを備えている。なお、以降の説明において、上下方向などの方向は、図面の記載にしたがったものとする。また、「〜」を用いて示された数値範囲は、「〜」の前後に記載される数値をそれぞれ最小値および最大値として含む範囲を示すものとする。
【００２７】
図１および図２（Ａ）に示すように、包装材２は、複数の血糖測定センサ３を包装するための袋である。包装材２の外形は、矩形である。包装材２は、複数の血糖測定センサ３を１個ずつ個別に包装（個包装）し、それらを積み重ねた状態で、一体的に貯蔵する。図１に示すように、包装材２は、収容部２０と、封止部２１と、開封用タブ部２２とを備えている。なお、包装材２の外形は、矩形に限られず、例えば、円形、正方形でもよい。
【００２８】
収容部２０は、血糖測定センサ３を１個ずつ個別に収容するための部分である。封止部２１は、収容部２０の周囲に形成されており、収容部２０と包装材２の外部とを画するための部分である。封止部２１は、血糖測定センサ３に含まれる乾燥試薬が外部の水分に暴露されるの防止し、性能の劣化を防止する。図２（Ａ）に示すように、包装材２において、複数の収容部２０が、上下に積み重なっている。複数の血糖測定センサ３のそれぞれは、個別にかつ積層して複数の収容部に収容されている。
【００２９】
図２（Ａ）および図２（Ｂ）に示すように、包装材２は、複数種類の包装フィルム２３，２４，２３Ａを備えている。血糖測定センサ３は、包装フィルム２３と包装フィルム２４との間、包装フィルム２４と包装フィルム２４との間、包装フィルム２４と包装フィルム２３Ａとの間に挟まれている。すなわち、包装体１においては、血糖測定センサ３と包装フィルム２３，２４，２３Ａとが交互に積層されている。血糖測定センサ３の周囲において、包装フィルム２３の下面と隣接する包装フィルム２４の上面、包装フィルム２４の下面と隣接する包装フィルム２４の上面、または包装フィルム２４の下面と隣接する包装フィルム２３Ａの上面が相互に接着されることにより、複数の収容部２０と複数の封止部２１とが形成され、複数の血糖測定センサ３のそれぞれが、複数の収容部２０のそれぞれに封入される。収容部２０の厚みは、例えば、０．１ｍｍ〜２．０ｍｍ、０．１ｍｍ〜１．０ｍｍ、または０．２ｍｍ〜０．６ｍｍである。
【００３０】
図１、図２（Ａ）、および図２（Ｂ）に示すように、開封用タブ部２２は、包装体１の端部に設けられている。図２（Ａ）によく表れているように、包装体１は、例えば、矩形である。開封用タブ２２は、封止部２１の周縁部２１ａの短手方向の一辺から突出して設けられている。開封用タブ部２２は、積層された複数の封止部２１を越えて、複数の包装フィルム２３，２４，２３Ａのそれぞれが、外側へ突出したものである。複数の開封用タブ２２のそれぞれは、相互に接着されない状態で、互いに積み重なっている。包装体１は、イージーピールにより開封されるように構成されている。イージーピールは、保存時に収容部２０の密封性を維持する一方で、開封時には、互いに接着した包装フィルム２３，２４，２３Ａ同士を容易に剥離可能とする包装技術である。包装体１においては、具体的には、封止部２１が、容易に剥離できるように構成されている。開封用タブ部２２は、使用者が包装体１を開封し、血糖測定センサ３を取り出す際に、最初に摘むための剥離きっかけ部分としての機能を有している。
【００３１】
図２（Ａ）および図２（Ｂ）に示すように、包装材２の最上部には、包装フィルム２３が用いられる。包装フィルム２３として、具体的には、例えば、アルミラミネートフィルムが使用される。包装フィルム２３は、例えば、図３（Ａ）に示す構成を有している。すなわち、包装フィルム２３は、最上層から最下層に向けて、ＰＥＴ（ポリエチレンテレフタレート）フィルム層２３ａ、アルミ層２３ｂ、ＰＥＴフィルム層２３ｃ、イージーピールフィルム層２３ｄの順に積層された多層フィルムである。
【００３２】
包装フィルム２３は、例えば、これらのフィルムをドライラミネート法により貼り合わせて作製される。ドライラミネート用接着剤を有機溶剤で適当な粘度に希釈してフィルムに塗布することにより接着層（図示略）を設け、乾燥後もう一方のフィルムと圧着して貼り合わせられる。接着層として、例えば、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤から選択して使用することができる。
【００３３】
最上層のＰＥＴフィルム層２３ａは、基材としての役割を有している。ＰＥＴフィルム層２３ａには、印刷が施される。ＰＥＴフイルムの特徴は、優れた耐熱性および耐寒性を有していることである。優れた耐熱性を有していることより、ＰＥＴフィルム層２３ａを最上層に使用した場合、ラミネートフィルムは、ヒートシール温度範囲が広くなり、しかもきれいにシールができる。
【００３４】
なお、基材として適しているのは、ＰＥＴに限らない。例えば、ＰＥＮ（ポリエチレンナフタレート）、ＰＢＴ（ポリブチレンテレフタレート）などのポリエステルフィルム、ＰＥ（ポリエチレン）、ＰＰ（ポリプロピレン）などのポリオレフィンフィルムもまた基材として使用できる。その他に、例えば、ナイロン−６、ナイロン−６６などのＰＡ（ポリアミドフィルム）、ＰＳ（ポリスチレンフィルム）、ＰＣ（ポリカーボネートフィルム）、ＰＡＮ（ポリアクリロニトリルフィルム）、ＰＩ（ポリイミドフィルム）、ＰＶＡ（ポリビニルアルコール）、ＰＶＤＣ（ポリ塩化ビニリデン）が挙げられる。基材の厚みは、例えば、０．０１ｍｍ〜０．０５ｍｍまたは０．０１ｍｍ〜０．０３ｍｍの範囲である。
【００３５】
ＰＥＴフィルム層２３ａの下面には、アルミ層２３ｂが設けられている。アルミ層２３ｂは、アルミニウム箔を用いて形成された層であり、包装フィルム２３の酸素ガスバリア性や水蒸気バリア性などの向上を目的として設けられている。アルミニウム箔は、３０μｍを超える厚みを有していれば、ガスも水蒸気も通さない。
【００３６】
なお、アルミ層２３ｂは、アルミニウム箔を用いたものに限らない。基材であるＰＥＴフィルム層２３ａにアルミニウムを蒸着して形成した層もまた、包装フィルム２３において、アルミ層２３ｂとして使用することができる。また、酸素ガスバリア性や水蒸気バリア性を向上するために、アルミ層２３ｂの代わりに、例えば、無機酸化物蒸着フィルム、ＥＶＯＨ（エチレン・ビニルアルコール共重合体）フィルム、ＰＶＤＣ（塩化ビニリデン）フィルムを用いることができる。無機酸化物として、例えば、酸化珪素、酸化アルミニウム、酸化マグネシウムを使用することができる。
【００３７】
アルミ層２３ｂの下面には、中間層として、ＰＥＴフィルム層２３ｃが設けられている。この中間層の厚みは、例えば、０．０１ｍｍ〜０．０５ｍｍまたは０．０１ｍｍ〜０．０３ｍｍの範囲である。中間層は、落下や突き刺しなどに対する強度の向上を目的として設けられている。材質としては、ＰＥＴ以外に、例えば、ポリアミドフィルムを用いることができる。
【００３８】
ＰＥＴフィルム層２３ｃの下面には、イージーピールフィルム層２３ｄが形成されている。イージーピールフィルム層２３ｄは、イージーピール性シーラント層として、凝集破壊タイプ、層間剥離タイプ、および界面剥離タイプのいずれかとすることができる。イージーピールフィルム層２３ｄとしては、例えば、凝集破壊タイプが採用される。イージーピールフィルム層２３ｄの厚みは、例えば、０．００５ｍｍ〜０．０６ｍｍ、０．０１ｍｍ〜０．０６ｍｍまたは０．０３ｍｍ〜０．０６ｍｍである。また、イージーピールフィルム層２３ｄの剥離強度は、例えば、５Ｎ〜４０Ｎ／１５ｍｍ、５Ｎ〜３０Ｎ／１５ｍｍ、５Ｎ〜２０Ｎ／１５ｍｍ、５Ｎ〜１０Ｎ／１５ｍｍ、または６Ｎ〜８Ｎ／１５ｍｍの範囲に設定される。
【００３９】
凝集破壊タイプは、イージーピールフィルム層２３ｄにより形成された封止部２１自体が破壊（凝集破壊）されながら、包装材２から剥離されるタイプである。材料として、例えば、ＥＶＡ（エチレン−酢酸ビニル共重合体）とワックスを主成分とし、ロジン、テルペン樹脂などの粘着付与剤を添加した、いわゆる「ホットメルト」が使用される。また、ＰＥ（ポリエチレン）、ＨＤＰＥ（高密度ポリエチレン）、ＬＬＤＰＥ（直鎖状低密度ポリエチレン）が使用される場合もある。その他に、ＰＥ（ポリエチレン）などのポリオレフィン樹脂とＰＢ−１（ポリブテン−１樹脂）を混合した樹脂、ポリオレフィン樹脂とポリスチレン樹脂を混合した樹脂などが使用される。凝集破壊タイプのイージーピールフィルム層２３ｄは、これらの樹脂を用いて作成されたフィルムを接着したり、またはこれらの樹脂の塗工液を塗布したりすることにより形成される。
【００４０】
層間剥離タイプを採用する場合、イージーピールフィルム層２３ｄは、少なくとも２層以上の多層フィルムで構成される。これらの層は、例えば、共押出し法によって作製される。それらの１層は、隣接する包装フィルムと溶着されるシール層である。もう１層は、前記シール層に隣接する剥離層である。包装体１が開封される際、隣接する包装フィルムとイージーピールフィルム層２３ｄの前記シール層の間で、剥離は生じない。包装フィルム２３は、前記シール層と前記剥離層と間で界面破壊または凝集破壊を生じながら包装材２から剥離される。例えば、剥離層は、ＬＬＤＰＥを材料として形成される。また、シール層は、隣接する包装フィルムの接着面の材質に合わせて、例えば、ＰＰ、ＰＥ、Ａ−ＰＥＴ（非晶性ポリエチレンテレフタレート）を用いて形成される。層間剥離タイプの特徴として、剥離強度が、イージーピールフィルム層２３ｄ内の層間強度により決まるため、溶着条件によらず、常に一定であるということが挙げられる。
【００４１】
界面剥離タイプは、包装フィルム２３と隣接する包装フィルムとが、溶着界面で剥離されるタイプである。例えば、ＰＰ（ポリプロピレン）は、ＰＥ（ポリエチレン）とほとんど融着できないが、ＰＥとＰＰ とをブレンドしたり、特殊な分子構造を有するＰＥ を使用したりするとことにより、両者は溶着出来るようになる。従って、イージーピールフィルム層２３ｄは、隣接する包装フィルムの接着面の材質に合わせて設定される必要がある。この原理を適切に制御することにより、所望の剥離強度を備えるイージーピールフィルム層２３ｄを形成することができる。界面剥離タイプのイージーピールフィルム層２３ｄの原料として、例えば、ＥＶＡ（エチレン−酢酸ビニル共重合体）を使用することができる。ＥＶＡを使用する場合には、酢酸ビニルの混合比率を調整した樹脂を用いて作製したフィルムを積層して、包装フィルム２３が製造される。
【００４２】
図２（Ａ）および図２（Ｂ）に示すように、包装材２の最上部と最下部の間の中間部には、包装フィルム２４が用いられる。包装フィルム２４として、具体的には、包装フィルム２３と同様、アルミラミネートフィルムが使用される。包装フィルム２４は、例えば、図３（Ｂ）に示す構成を有している。包装フィルム２４において、包装フィルム２３と同一または類似の機能を有する構成要素には、同一の符号を付している。これらに関しては、詳細な説明を省略する。ここで、包装フィルム２４は、最上層にイージーピールフィルム層２４ｅを備えている点で包装フィルム２３と異なっている。すなわち、包装フィルム２４は、最上層と最下層の両方にイージーピールフィルム層２３ｄ，２４ｅを有している点で包装フィルム２３と異なっている。
【００４３】
図２（Ｂ）に示す構成により包装体１を組み立てる場合、包装体１の最上部において、図３（Ａ）および図３（Ｂ）から明らかなように、包装フィルム２３の下面２３ｆが、包装フィルム２４の上面２３ｇと接着され、イージーピール接着層が形成される。より具体的には、包装フィルム２３のイージーピールフィルム層２３ｄが、包装フィルム２４のイージーピールフィルム層２４ｅと熱溶着される。また、包装体１の中間部においては、図３（Ｂ）から理解できるように、包装フィルム２４の下面２３ｈが、下方に隣接する包装フィルム２４の上面２３ｇと接着され、イージーピール接着層が形成される。より具体的には、包装フィルム２４のイージーピールフィルム層２３ｄが、下方に隣接する包装フィルム２４のイージーピールフィルム層２４ｅと熱溶着される。
【００４４】
図２（Ａ）および図２（Ｂ）に示すように、包装材２の最下部には、包装フィルム２３Ａが用いられる。包装フィルム２３Ａとして、具体的には、例えば、アルミラミネートフィルムが使用される。包装フィルム２３Ａは、例えば、図３（Ｃ）に示す構成を有している。すなわち、包装フィルム２３Ａは、最上層から最下層に向けて、イージーピールフィルム層２３ｄ、ＰＥＴフィルム層２３ｃ、アルミ層２３ｂ、ＰＥＴフィルム層２３ａの順に積層された多層フィルムである。包装フィルム２３Ａにおいて、包装フィルム２３と同一または類似の機能を有する構成要素には、同一の符号を付している。ここで、包装フィルム２３Ａは、包装フィルム２３と含まれる構成要素は同一であるが、構成要素の並ぶ順序が逆になっているだけである。よって、構成要素個々の説明に関しては、詳細な説明を省略する。
【００４５】
従って、図３（Ｂ）および図３（Ｃ）から明らかなように、包装体１の最下部においては、包装フィルム２４の下面２３ｈが、下方に隣接する包装フィルム２３Ａの上面２３ｊと接着され、イージーピール接着層が形成される。より具体的には、包装フィルム２４のイージーピールフィルム層２３ｄは、下方に隣接する包装フィルム２３Ａのイージーピールフィルム層２３ｄと熱溶着される。
【００４６】
図３（Ｄ）に、包装フィルム２４の変形例として、包装フィルム２４Ａを示す。包装フィルム２４Ａにおいて、包装フィルム２４と同一または類似の機能を有する構成要素に対しては同じ符号を付しており、ここでは詳細な説明を省略する。包装フィルム２４Ａは、最上層にＰＥフィルム層２４Ａaを備えている点で、包装フィルム２４と相違している。包装体１の中間部に包装フィルム２４Ａを使用する場合、包装フィルム２３のイージーピールフィルム層２３ｄは、包装フィルム２４ＡのＰＥフィルム層２４Ａａと熱溶着される。同様に、包装体１の中間部において、包装フィルム２４Ａのイージーピールフィルム層２３ｄは、下方に隣接する包装フィルム２４ＡのＰＥフィルム層２４Ａａと熱溶着される。一方で、包装体１の最下部において、包装フィルム２４Ａのイージーピールフィルム層２３ｄは、隣接する包装フィルム２３Ａのイージーピールフィルム層２３ｄと熱溶着される。このように、包装体１を製造する際に包装フィルム２４Ａを使用する場合、最下部を除き、イージーピールフィルム層２３ｄとＰＥフィルム層２４Ａaとが相互に熱溶着される。
【００４７】
包装体１を含む血糖測定システムＭＳの一例を図４に示す。図４に示すように、血糖測定システムＭＳは、包装体１の他に血糖測定器４を備えている。血糖測定システムＭＳは、鞄などに入れて携帯できる程度の大きさのものである。血糖測定器４は、血糖測定センサ３を用いて患者から採取された血液中の血糖値を簡易に測定するためのものである。血糖測定器４は、本体４０を備えている。本体４０は、血糖測定センサ３を挿入するための挿入口４１および液晶表示部４２を有している。包装体１から取り出された血糖測定センサ３は、Ｎ１で示す方向に挿入口４１に挿入される。
【００４８】
本体４０は、内部に、血糖値を測定するための測定部（図示略）、記憶部（図示略）、および制御部（図示略）を備えている。前記測定部は、挿入口４１に挿入された血糖測定センサ３に対して所定の電圧信号を供給し、かつ血糖測定センサ３から出力される測定結果を示す電圧信号を受け取ってＡＤ変換した測定データを生成する。前記制御部は、測定部で得られた前記測定データを前記記憶部に記憶されている検量線に基づいて血糖値に変換し、その血糖値を測定日時や患者ＩＤなどと関連付けて、前記記憶部に記憶させる。また、前記制御部は、必要に応じて、血糖値とそれに関連付けされたデータを液晶表示部４２に表示させる。
【００４９】
血糖測定センサ３は、患者の血液（全血）を吸入可能に構成されており、血糖値を検出する機能を有している。血糖測定センサ３は、本発明でいう包装対象物の一例に相当し、また、測定用具の一例に相当する。更に、血糖測定センサ３は、本発明でいうバイオセンサの一例に相当する。図５（Ａ）および図５（Ｂ）に示すように、血糖測定センサ３は、基板３０、スペーサ３１、およびカバー３２を備えている。
【００５０】
基板３０は、例えば、疎水性を有する合成樹脂を用いて形成される。基板３０上には、４本の信号配線３０ａ，３０ｂ，３０ｃ，３０ｄが形成されている。これらの信号配線３０ａ，３０ｂ，３０ｃ，３０ｄは、例えば、カーボンインクを用いて、スクリーン印刷により所定のパターンに形成されている。信号配線３０ａ，３０ｂ，３０ｃ，３０ｄは、それぞれ、基板３０の前方に設けられた電極部３０ｅ，３０ｆ，３０ｇ，３０ｈに繋げられている。血糖測定器４の挿入口４１の奥には、４本の信号配線３０ａ，３０ｂ，３０ｃ，３０ｄと接触する接点を有するコネクタ（図示略）が設けられている。このコネクタは、４本の信号配線３０ａ，３０ｂ，３０ｃ，３０ｄと前記測定部とを繋げるためのものである。
【００５１】
図５（Ｂ）に示すように、基板３０および信号配線３０ａ，３０ｂ，３０ｃ，３０ｄ上には、レジスト３３が、スクリーン印刷により、所定のパターンに形成されている。具体的には、レジスト３３は、電極部３０ｅ，３０ｆ，３０ｇ，３０ｈが露出するように形成されている。また、レジスト３３は、基板３０の後方において信号配線３０ａ，３０ｂ，３０ｃ，３０ｄの一部が、露出するように形成されている。レジスト３３は、熱硬化インクなどを用いて、絶縁の目的で形成されている。
【００５２】
図５（Ａ）および図５（Ｂ）に示すように、レジスト上には、スペーサ３１が設けられている。スペーサ３１は、基板３０と後述するカバー３２とを接着するための接着層としての機能も有している。スペーサ３１は、基板３０上に形成されたレジスト３３を介して基板３０とカバー３２とを互いに接着している。スペーサ３１は、例えば、両面テープを用いて形成される。スペーサ３１を打ち抜き加工することにより、基板３０とカバー３２との間に患者から採取された血液の導入孔３１ａおよび流路３１ｂとが形成される。また、流路３１ｂは、その内部において、電極部３０ｅ，３０ｆ，３０ｇ，３０ｈが露出するように形成されている。導入孔３１ａは、血糖測定センサ３の前方先端に形成されている。患者から採取された血液は、導入孔３１ａから矢印Ｎ２で示す方向に吸引され、毛細管現象により流路３１ｂに導入される。流路３１ｂの容積は、例えば、０．１〜１０μＬ、０．１５〜５μＬ、または０．２５〜３．５μＬになるように形成される。
【００５３】
スペーサ３１の上面には、カバー３２が接着されている。カバー３２が接着されることで、流路３１ｂは毛細管となる。毛細管現象を容易なものとするために、カバー３２に空気孔３２ａが設けられている。カバー３２の材料として、例えば、親水性を有する合成樹脂が用いられる。
【００５４】
図５（Ｂ）に示すように、流路３１ｂにおいて、導入孔３１ａ側に電極部３０ｅおよび３０ｆからなる一対のヘマトクリット電極３０ｊが設けられている。一対のヘマトクリット電極３０ｊより奥側に、電極部３０ｇおよび３０ｈからなる一対のグルコース電極３０ｋが設けられている。一対のグルコース電極３０ｋ上には、固化した乾燥試薬３４が設置されている。乾燥試薬３４は、血糖測定試薬として、例えば、酸化還元酵素およびメディエータを含んでいる。乾燥試薬３４は、酸化還元酵素として、例えば、グルコースオキシダーゼまたはグルコースデヒドロゲナーゼを含んでいる。また、乾燥試薬３４は、メディエータとして、例えば、キノン類化合物、フェリシアン化カリウム、フェナジンメトサルフェート、メチレンブルー、フェロセン、フェノチアジン、ルテニウム錯体、またはそれらの誘導体を含んでいる。乾燥試薬３４は、例えば、空気中に含まれる水分の影響を受けて劣化しやすいため、乾燥状態を厳密に維持できる保存方法を採用することが好ましい。そのために、血糖測定センサ３は、個包装により保存することが望ましい。
【００５５】
一対のヘマトクリット電極３０ｊは、血糖測定器４が、電極部３０ｅおよび３０ｆに血液が接触した状態で、信号配線３０ａおよび３０ｂに対して、交流または直流の電圧信号を供給することにより、ヘマトクリット値を検出するのに用いられる。また、一対のグルコース電極３０ｋは、血糖測定器４が、電極部３０ｇおよび３０ｈと乾燥試薬３４に血液が接触し、乾燥試薬３４と反応した状態で、信号配線３０ｃおよび３０ｄに対して、交流または直流の電圧信号を供給することにより、グルコースの値（血糖値）を検出するのに用いられる。血糖測定器４は、得られたヘマトクリット値に応じて、血糖値を適切な値に補正する。
【００５６】
なお、包装体１の包装対象物は、血糖測定センサ３に限らない。例えば乳酸センサやコレステロールセンサなど、血液中に含まれるグルコース以外の物質を測定対象とするバイオセンサを包装対象物とすることができる。また、包装体１は、例えば尿糖など、尿中の物質を測定対象とする尿試験紙を包装対象物とすることができる。また、血液や尿以外の体液に含まれるバイオセンサまたは試験片を包装対象物とすることもできる。また、医薬品、医療機器、または食品などを包装対象物とすることもできる。包装体１に包装される医薬品の剤形として、例えば、錠剤、カプセル剤、丸剤、またはトローチ剤が挙げられる。包装体１は、特に、上下方向の厚みの薄い包装対象物を積み重ねて包装するのに適している。また、包装体１は、複数種類の包装対象物をまとめて包装する構成としてもよい。
【００５７】
包装体１において、複数の収容部２０は、複数の包装対象物のそれぞれを個別に収容する。ここで、一つの収容部２０に個別に収容される包装対象物の個数は、１個に限らない。すなわち、「複数の包装対象物のそれぞれを個別に収容」には、一組で使用される複数の包装対象物をまとめて一つの収容部２０に収容する場合も含まれる。一組で使用される複数の包装対象物の個数は、例えば、一回の必要分である。一回の必要分は、少なくとも１個であり、具体的には、例えば、１個、２個、３個、４個、または５個である。より具体的には、例えば、錠剤の医薬品の一回の必要分が二錠である場合、二錠の錠剤が一つの収容部２０に収容される。
【００５８】
次に、図６を参照して、包装体１の製造方法を説明する。包装体１の製造は、例えば、製造装置５を使用して行う。図６に示すように、製造装置５は、包装フィルム供給部５０、血糖測定センサ供給部５１、包装フィルムシール部５２、包装体打ち抜き部５３、および組み立て部５４を備えている。また、十分に乾燥した雰囲気で包装を行うため、包装体１の製造室には除湿機が設置される。
【００５９】
包装フィルム供給部５０は、組み立て部５４に包装フィルム２３Ａ，２４，２３を矢印Ｎ３で示す方向に供給するためのものである。包装フィルム供給部５０は、例えば、包装フィルムロール５０ａ，５０ｂ，５０ｃ，５０ｄ、およびローラー５０ｅ，５０ｆ，５０ｇを備えている。包装フィルムロール５０ａには、図３（Ｃ）に示す包装フィルム２３Ａが、ＰＥＴフィルム層２３ａを表側にして、巻き付けられている。包装フィルムロール５０ｂおよび５０ｃには、図３（Ｂ）に示す包装フィルム２４が、イージーピールフィルム層２３ｄを表側にして、巻き付けられている。また、包装フィルムロール５０ｄには、図３（Ｃ）に示す包装フィルム２３が、イージーピールフィルム層２３ｄを表側にして、巻き付けられている。ローラー５０ｅ，５０ｆ，５０ｇは、包装フィルム２３Ａ，２４，２３に所定の張力を与え、平らな状態とするためのものである。
【００６０】
血糖測定センサ供給部５１は、組み立て部５４に血糖測定センサ３を供給するための部分である。血糖測定センサ供給部５１は、例えば、センサ供給装置５１ａ，５１ｂ，５１ｃを備えている。センサ供給装置５１ａ，５１ｂ，５１ｃは、吸引部５１ｅを備えている。センサ供給装置５１ａは、センサ整列装置（図示略）によって整列された血糖測定センサ３を吸引部５１ｅによって吸引し、矢印Ｎ４で示すように上方に移動した後、矢印Ｎ５で示すように水平に移動し、更に矢印Ｎ５で示すように下方に移動し、包装フィルムロール５０ａから供給された包装フィルム２３のイージーピールフィルム層２３ｄ上の所定の箇所に血糖測定センサ３を放して、配置する。その後、センサ供給装置５１ａは、矢印Ｎ６，Ｎ５，およびＮ４で示すように供給時と逆の行程を辿って元の位置に戻る。同様にして、センサ供給装置５１ｂおよび５１ｃは、それぞれ、包装フィルムロール５０ｂおよび５０ｃから供給された包装フィルム２４のイージーピールフィルム層２４ｅ上に血糖測定センサ３を配置する。その際、血糖測定センサ３は、積み重ねられた状態とするために、前の行程において配置された血糖測定センサ３の位置に合わせて配置される。
【００６１】
なお、血糖測定センサ３を積み重ねる回数は、包装フィルム供給部５０における包装フィルムロールおよび血糖測定センサ供給部５１におけるセンサ供給装置の設置数を変更することにより変更することができる。
【００６２】
包装フィルムシール部５２は、積み重ねられた包装フィルム２３Ａ，２４，２３を相互に接着し、封止部２１を形成するためのものである。包装フィルムシール部５２は、包装フィルムシール装置５２ａを備えている。包装フィルムシール装置５２ａは、例えば、ヒートシーラーまたはインパルスシーラーを備えている。包装フィルムシール装置５２ａは、矢印Ｎ７に示すように上下動し、積み重ねられた包装フィルム２３Ａ，２４，２３のイージーピールフィルム層２３ｄ，および２４ｅを熱溶着により、相互に接着する。このことにより、血糖測定センサ３は、包装フィルム２３Ａ，２４，２３の間に１個ずつ挟まれ、積み重ねられた複数の血糖測定センサ３のそれぞれの周囲に封止部２１が形成される。
【００６３】
なお、熱溶着は、包装フィルム２３Ａ，２４，２３を積み重ねるごとに行うようにしてもよい。その場合は、複数台の包装フィルムシール装置５２ａが、センサ供給装置５１ａ，５１ｂ，５１ｃの後ごとに配置される。
【００６４】
包装体打ち抜き部５３は、包装フィルムシール部５２において積層された包装フィルム２３Ａ，２４，２３を打ち抜くことにより包装体１を形成するためのものである。包装体打ち抜き部５３は、包装体打ち抜き装置５３ａを備えている。包装体打ち抜き装置５３ａは、下面に打ち抜き刃（図示略）を有しており、矢印Ｎ８に示すように上下動し、封止部２１が形成された部分またはその周辺部を打ち抜くことにより最終的に包装体１を取得する。包装体打ち抜き部５３は、打ち抜きの際、封止部２１が形成された部分よりも外側の熱溶着されていない部分を含めて切断することにより、包装体１に開封用タブ部２２を形成する。
【００６５】
包装装置５を用いた包装体１の製造は、以下のようにして行う。
【００６６】
先ず、包装フィルムロール５０ａから供給された包装フィルム２３Ａのイージーピールフィルム層２３ｄ上に、センサ供給装置５１ａを用いて、例えば５個の血糖測定センサ３を包装フィルム２３Ａの幅方向に整列配置させる。次に、包装フィルム２３Ａ上に配置した血糖測定センサ３の上に包装フィルムロール５０ｂから供給された包装フィルム２４を被せる。次に、包装フィルム２４のイージーピールフィルム層２４ｅ上に、センサ供給装置５１ｂを用いて、５個の血糖測定センサ３を整列配置させる。その際、包装フィルム２３Ａ上に配置した血糖測定センサ３に積み重なるように、血糖測定センサ３を配置する。次に、同様にして、包装フィルムロール５０ｃから供給された包装フィルム２４のイージーピールフィルム層２４ｅ上に、センサ供給装置５１ｃを用いて、血糖測定センサ３を配置する。なお、包装フィルム２４のイージーピールフィルム層２４ｅ上に血糖測定センサ３を整列配置する工程は、必要に応じて所定回数繰り返す。次に、包装フィルム２４上に配置した血糖測定センサ３の上に包装フィルムロール５０ｄから供給された包装フィルム２３を被せる。次に、包装フィルムシール装置５２ａを用いて、積み重ねられた包装フィルム２３Ａ，２４，２３のイージーピールフィルム層２３ｄおよび２４ｅ同士を熱溶着により相互に接着し、血糖測定センサ３を収容する収容部２０および封止部２１を形成する。次に、包装体打ち抜き装置５３ａを用いて、封止部２１が形成された部分またはその周辺部を打ち抜くことにより包装体１を取得する。
【００６７】
次に、図７（Ａ）〜図７（Ｃ）を参照して、包装体１の使用方法を説明する。
【００６８】
先ず、図７（Ａ）に示すように、包装体１の最上部に積層された包装フィルム２３の開封用タブ部２２を指で摘んで、下方に隣接する包装フィルム２４との間に形成された封止部２１を矢印９で示す方向に途中まで剥がす。次に、図７（Ｂ）に示すように、包装体１から血糖測定センサ３を取り出し、矢印１で示すように血糖測定器４の挿入口４１に挿入する。次に、使用者は、血糖測定センサ３の先端部に配置された導入孔３１ａから血液を流路３１ｂ内に吸入する。そうすると、血糖測定器４は、血糖測定を開始する。次に、図７（Ｃ）に示すように、矢印１０で示す方向に包装フィルム２３を完全に剥がす。これにより、次の血糖測定センサ３を取り出す準備が完了する。
【００６９】
本実施形態によれば、包装体１は、複数の血糖測定センサ３を個包装によりまとめて貯蔵する場合に、複数の包装フィルム２３，２４，２３Ａと複数の血糖測定センサ３とを交互に積層して一体化することにより、包装フィルム２３，２３Ａ，２４，２４Ａの使用量を少なくできる。これにより、単層構造の包装体を複数個製造する場合と比較して、製造コストの低減を図ることができる。
【００７０】
また、同様の理由で、包装体１は、複数の血糖測定センサ３を個包装によりまとめて貯蔵する場合に、単層構造の包装体を複数個貯蔵する場合と比較して、コンパクトに貯蔵することができる。包装体１は、特に、上下方向の厚みが比較的薄い複数の血糖測定センサ３をコンパクトにまとめて貯蔵することができる。コンパクトになることで、包装体１は、使用者が持ち運ぶ場合にも、便利なものとなる。
【００７１】
また、包装体１において、複数の包装フィルム２３，２４，２３Ａのイージーピールフィルム層２３ｄおよび２４ｅ同士を相互に接着することにより、複数の封止部２１が形成される。これにより、封止部２１は、積層した複数のイージーピール接着層を一度に形成する場合でも、それぞれのイージーピール接着層を十分な剥離強度を有するものとすることができる。また、剥がす際によりソフトな感触となるイージーピール接着層を形成することができる。すなわち、包装体１の封止部２１は、十分な接着強度を備える一方で、しかも剥離しやすいものとなる。よって、包装体１は、十分な密封性を有するとともに、使用者にとってより使いやすいものである。
【００７２】
また、上記したように、包装体１は、包装フィルム２３，２３Ａ，２４の使用量を少なくできる。その分単位面積当たりの取り数制限が緩和されるため、平面方向において、包装体１を扱いやすい外形に調整が可能となる。また、包装体１は、血糖測定センサ３の形状が特殊な場合であっても、包装体１の形状や大きさを調整することで、これを包装することができる。その結果、包装体１は、使用者にとって便利なものとなる。
【００７３】
また、包装体１は、包装フィルム２３，２４，２３Ａの間の接着層（封止部２１）にイージーピールを使用することで、容易に開封を行うことができる。また、包装体１は、イージーピールにより包装フィルム２３，２３Ａ，２４を包装体１の本体から完全に剥がすことができるので、血糖測定センサ３を取り出した後に、包装材２にゴミが残ることもない。
【００７４】
また、包装フィルム２４の代わりに、包装フィルム２４Ａを使用した場合には、イージーピールの方式として、層間剥離タイプまたは界面剥離タイプを使用しやすくなる。層間剥離タイプを使用した場合には、シール強度を安定させることができる。また、界面剥離タイプを使用した場合には、開封後の剥離面を綺麗なものにすることができる。
【００７５】
＜第２の実施形態＞
次に、図８（Ａ）および図８（Ｂ）を参照して、本発明の第２の実施形態に係る包装体１Ａを説明する。包装体１Ａにおいて、包装体１と同一の符号を付した構成要素は、包装体１の構成要素と同一または類似の機能を有する。よって、これらに関しては、詳細な説明を省略する。
【００７６】
図８（Ａ）および図８（Ｂ）に示すように、包装体１Ａにおいては、開封用タブ２２Ａａ〜２２Ａｆの形状が、包装体１の開封用タブ２２と相違している。包装体１Ａは、例えば、矩形である。複数の開封用タブ２２Ａａ〜２２Ａｆは、例えば、封止部２１の周縁部２１ａの短手方向の一辺から、封止部２１を越えて、突出するように設けられている。複数の開封用タブ２２Ａａ〜２２Ａｆのそれぞれは、互いに積み重なっており、その一方で、下方に配置されるほど外側に向けて長く延びており、互いに少しずつずれた部分を有するように構成されている。
【００７７】
本実施形態によれば、包装体１Ａは、開封用タブ２２Ａａ〜２２Ａｆを１枚ずつ順番に摘み易い構成とされている。これにより、使用者は、包装フィルム２３，２４を包装材２から剥がす操作を容易に行うことができる。
【００７８】
＜第３の実施形態＞
次に、図９を参照して、本発明の第３の実施形態に係る包装体１Ｂを説明する。包装体１Ｂにおいて、包装体１と同一または類似の機能を有する構成要素には、同一の符号を付している。よって、これらに関しては、詳細な説明を省略する。
【００７９】
図９に示すように、包装体１Ｂにおいては、開封用タブ２２Ｂａ〜２２Ｂｆの形状が、包装体１の開封用タブ２２と相違している。包装体１Ｂは、例えば、矩形である。開封用タブ２２Ｂａ〜２２Ｂｆは、例えば、封止部２１の周縁部２１ａの短手方向の一辺から、封止部２１を越えて、突出するように設けられている。複数の開封用タブのそれぞれは、互いに積み重なっており、その一方で、下方に配置されるほど封止部２１の周縁部２１ａに沿って長く延びており、互いに少しずつずれた部分を有するように構成されている。
【００８０】
本実施形態によれば、包装体１Ｂは、開封用タブ２２Ｂａ〜２２Ｂｆを１枚ずつ順番に摘み易い構成とされている。これにより、包装フィルム２３，２４を包装材２から剥がす操作を容易に行うことができるので、使用者にとって便利なものとなっている。
【００８１】
＜第４の実施形態＞
次に、図１０（Ａ）および図１０（Ｂ）を参照して、本発明の第４の実施形態に係る包装体１Ｂを説明する。包装体１Ｃにおいて、包装体１と同一または類似の機能を有する構成要素には、同一の符号を付している。よって、これらに関しては、詳細な説明を省略する。
【００８２】
図１０（Ａ）および図１０（Ｂ）に示すように、包装体１Ｃにおいては、開封用タブ２２Ｃａおよび２２Ｃｂの形状が、包装体１の開封用タブ２２の形状と相違している。包装体１Ｃは、例えば、矩形である。開封用タブ２２Ｃａおよび２２Ｃｂは、例えば、封止部２１の周縁部２１ａの短手方向の一辺から、封止部２１を越えて、突出するように設けられている。開封用タブ２２Ｃａは、前記一辺の右側に形成されている。前記短手方向の一辺の右側は、本発明でいう第１の開封用タブ突出部の一例に相当する。一方で、開封用タブ２２Ｃｂは、前記短手方向の一辺の左側に形成されている。前記短手方向の一辺の左側は、本発明でいう第２の開封用タブ突出部に相当する。包装体１Ｃにおいては、開封用タブ２２Ｃａを有する包装フィルム２３，２４，または２３Ａと、開封用タブ２２Ｃｂを有する包装フィルム２４，２３Ａとが交互に積層されている。従って、開封用タブ２２Ｃａと開封用タブ２２Ｃｂとは、前記短手方向の一辺の右側と前記短手方向の一辺の左側とにおいて交互に突出する。複数の開封用タブ２２Ｃａのそれぞれは、互いに積み重なる。また、複数の開封用タブ２２Ｃｂのそれぞれは、互いに積み重なる。その際、積み重なった開封用タブ２２Ｃａ間または開封用タブ２２Ｃｂ間には、包装フィルム２４の１枚分の隙間が生じる。
【００８３】
図１０（Ｂ）に示すように、開封用タブ２２Ｃａを有する包装フィルム２３を矢印１１で示す方向に剥がした場合、次に、開封用タブ２２Ｃｂを有する包装フィルム２４が現れる。このように、開封用タブ２２Ｃａを有する包装フィルム２３，２４，または２３Ａと、開封用タブ２２Ｃｂ包装フィルム２４または２３Ａとが交互に現れる。
【００８４】
本実施形態によれば、包装体１Ｃにおいて、積み重なった開封用タブ２２Ｃａ間または開封用タブ２２Ｂｂ間に隙間が生じるので、開封用タブ２２Ｃａまたは開封用タブ２２Ｃｂを一枚ずつ順番に摘み易い。これにより、使用者は、包装フィルム２３または２４を包装材２から剥がす操作を容易に行うことができる。
【００８５】
＜第５の実施形態＞
次に、図１１（Ａ）および図１１（Ｂ）を参照して、本発明の第５の実施形態に係る包装体１Ｄを説明する。包装体１Ｄにおいて、包装体１と同一または類似の機能を有する構成要素には、同一の符号を付している。よって、これらに関しては、詳細な説明を省略する。
【００８６】
図１１（Ａ）に示すように、包装体１Ｄは、包装材２の右側部に把持部２５を備えており、更に、把持部２５と封止部２１との境界部にミシン目２６を備えている点で、包装体１と相違している。把持部２５は、包装フィルム２３，２４を剥がす際に、包装体１Ｄを支えるためのものである。また、包装フィルム２３，２４は、ミシン目２６に沿って剥がれるように構成されている。
【００８７】
図１１（Ｂ）に示すように、包装体１Ｄから血糖測定センサ３を取り出すために、把持部２５を把持しつつ、開封用タブ２２を摘んで矢印Ｎ１２で示す方向に包装フィルム２３を剥がす場合、包装フィルム２３はミシン目２６に沿って剥がれる。その際、把持部の包装フィルム２３は剥がれない。そうすると、次に剥がされるべき包装フィルム２４が現れる。
【００８８】
本実施形態によれば、包装体１Ｄは、把持部２５を備えているので、開封時に支えやすい構成とされている。これにより、使用者は、包装フィルム２３，２４を剥がす操作を容易に行うことができる。
【００８９】
本発明は、上述した実施の形態の内容に限定されない。本発明に係る包装体の具体的な構成は、種々に設計変更自在である。また、本発明に係る包装体の製造方法の具体的な工程は、種々に設計変更自在である。
【００９０】
上記の第１の実施の形態〜第５の実施の形態において、イージーピールによって開封を行う包装体１〜包装体１Ｄについて説明を行った。しかし、本発明の包装体の開封方法は、イージーピールによるものに限られない。包装体の側面に紐、糸、またはテープを設け、それらを引っ張ることにより包装体の側面を破り、開封を行う構成とすることもできる。このような構成によれば、包装体を開封容易なものとすることができ、包装対象物の取り出しを容易に行うことができる。
【００９１】
上記の第１の実施の形態〜第５の実施の形態において、包装体１〜包装体１Ｄは、開封を行う際に、積層された包装フィルム２３，２４，２３Ａを１枚ずつ完全に剥がすように構成されたものであることを前提として説明した。しかし、本発明の包装体は、このようなものに限られない。包装体は、包装材２に形成された封止部２１の一部が剥がれないような構成とすることができる。例えば、包装フィルムが、開封用タブ２２が突出する短手方向の一辺と反対側の一辺において、剥離しないように構成してもよい。このような構成によれば、包装体に収容された包装対象物を全て使用し終わった際に、包装材２を一括して廃棄することができるので、使用者にとって便利である。
【００９２】
上記の第１の実施の形態〜第５の実施の形態において、収容部２０に血糖測定センサ３と一緒に乾燥剤を収容しない包装体１〜包装体１Ｄについて説明を行った。しかし、包装体は、このようなものに限られず、収容部２０に血糖測定センサ３と乾燥剤とを一緒に収容する構成とすることができる。このような構成によれば、乾燥試薬３４の乾燥をより厳密なものとすることができる。
【００９３】
本願発明には、以下の態様が含まれる。
［１］複数の包装対象物と、
複数の包装フィルムと、を備え、前記複数の包装フィルムのそれぞれは、上面および前記上面とは反対側の下面を有し、前記複数の包装フィルムは、前記複数の包装対象物と交互に積層され、
前記複数の包装対象物のそれぞれの周囲を封止する複数の封止部、を更に備え、前記複数の封止部のそれぞれは、前記前記複数の包装フィルムの内の１つの前記下面と前記複数の包装フィルムの内の他の１つの前記上面とを互いに接着することにより形成されている、包装体。
［２］複数の包装対象物と複数の包装フィルムとを交互に積み重ねる工程と、
前記複数の包装対象物のそれぞれの周囲において、前記複数の包装フィルムの内の１つの下面と前記複数の包装フィルムの内の他の１つの上面とを互いに接着することにより、前記複数の包装フィルムのそれぞれの間に、互いに積層しかつ前記複数の包装対象物のそれぞれを個別にかつ積層して収容する複数の収容部および前記複数の収容部前記複数の包装対象物のそれぞれの周囲を封止する複数の封止部を形成する工程と、
前記複数の封止部が形成された部分またはその周辺部を打ち抜くことにより包装体を得る工程と、
を有する、包装体の製造方法。
【符号の説明】
【００９４】
１，１Ａ，１Ｂ，１Ｃ，１Ｄ  包装体
２  包装材
２０  収容部
２１  封止部
２２，２２Ａａ〜２２Ａｆ，２２Ｂａ〜２２Ｂｆ，２２Ｃａ，２２Ｃｂ  開封用タブ
２３，２３Ａ，２４，２４Ａ  包装フィルム
２４ｄ，２４ｅ  イージーピールフィルム層
２５  把持部
２６  ミシン目
３  血糖測定センサ（包装対象物、測定用具、バイオセンサ）
【図１】
2017074986.tif 000003
【図２】
2017074986.tif 000004
【図３】
2017074986.tif 000005
【図４】
2017074986.tif 000006
【図５】
2017074986.tif 000007
【図６】
2017074986.tif 000008
【図７】
2017074986.tif 000009
【図８】
2017074986.tif 000010
【図９】
2017074986.tif 000011
【図１０】
2017074986.tif 000012
【図１１】
2017074986.tif 000013